(57)【要約】【課題】  取付け環に紐、ロープあるいは鎖等のつなぎ具を取り付け易く、また犬の身体にフィットして違和感を生じさせない犬用衣服の提供。【解決手段】  前身頃部分、左後身頃部分及び右後身頃部分からなり、前身頃部分には前足を挿入させる袖ぐりが左右対称に設けられ、左或いは右後身頃部分の両端縁付近には、複数個のボタンとこれに係合させるボタンホールが設けられ、上記ボタンの上方で袖ぐりの上縁と凡そ並ぶ位置に、紐、ロープ又は鎖等のつなぎ具を取り付けるためのＤ環が高さ寸法１ｃｍ〜２ｃｍの首布を介して取付けられ、上記ボタンホールの上方で袖ぐりの上縁と凡そ並ぶ位置に、前記Ｄ環に係合されるＤ環用ボタンホールが設けられている。また、前身頃部分の前中心の襟ぐりと裾部分にダーツを設けた。【選択図】      図１
0003115888.tif 000002
【実用新案登録請求の範囲】
【請求項１】
前身頃部分、左後身頃部分及び右後身頃部分からなり、前身頃部分には前足を挿入させる袖ぐりが左右対称に設けられ、左或いは右後身頃部分の両端縁付近には、複数個のボタンとこれに係合させるボタンホールが設けられ、上記ボタンの上方で袖ぐりの上縁と凡そ並ぶ位置に、紐、ロープ又は鎖等のつなぎ具を取り付けるためのＤ環が高さ寸法１ｃｍ〜２ｃｍの首布を介して取付けられ、また上記ボタンホールの上方で袖ぐりの上縁と凡そ並ぶ位置に、前記Ｄ環に係合されるＤ環用ボタンホールが設けられていることを特徴とする犬用衣服。
【請求項２】
前身頃部分の前中心の襟ぐりと裾部分にダーツを設けたことを特徴とする請求項１記載の犬用衣服。
【請求項３】
襟ぐり部のダーツは複数個、裾部分のダーツは１個となしたことを特徴とする請求項２記載の犬用衣服。
【請求項４】
Ｄ環取り付け対応裏側身頃地部分に補強布を設けたことを特徴とする請求項１、２又は３記載の犬用衣服。
【考案の詳細な説明】
【技術分野】
【０００１】
本考案は、ペットの犬に着させる衣服であって、散歩の際には紐、鎖等を取り付けることができる連結金具を備えた犬用衣服に関するものである。
【背景技術】
【０００２】
従来の犬用衣服は、前あきであるため、服を着せる際には犬を仰向けにするなど、着せにくいものであった。また、散歩の際には紐等を取り付けなければならないのであるが、服の上にハーネスを着用するのは煩わしいものであった。
そこで、特許文献１では、背開きの動物用着用具であって、動物の背中にあたる位置に紐、ロープ又は鎖をつなぐための連結金具が設けられているものが示されている。詳しくは、帯状の本体の左右両端に第１取付部及び第２取付部を備え、該第１取付部の中央に連結金具が固着されている。この連結金具の一端には小さな筒部が形成され、この筒部を利用して取付け環が揺動自在に取り付けらている。また、第２取付部のほぼ中央には縦長の裂け目が形成されている。この動物着用具を動物に着せた場合に、連結金具の取付け環を裂け目に通し、取付け環に紐、ロープあるいは鎖等のつなぎ具を取り付けるのである。
しかし、特許文献１に示された動物用着用具は、取付け環を裂け目から上方へ抜き出しにくく、外れやすいという問題があった。また、平らな帯状の生地であるため、動物の身体の線に沿わないという問題もあった。
【特許文献１】特開平１１−４６６１３
【考案の開示】
【考案が解決しようとする課題】
【０００３】
そこで、本考案は、係る問題点を解決すべく、取付け環に紐、ロープあるいは鎖等のつなぎ具を取り付け易く、犬の身体にあった犬用衣服の提供を目的とするものである。
【課題を解決するための手段】
【０００４】
本考案に係る犬用衣服は、前身頃部分、左後身頃部分及び右後身頃部分からなり、前身頃部分には前足を挿入させる袖ぐりが左右対称に設けられ、左或いは右後身頃部分の両端縁付近には、複数個のボタンとこれに係合させるボタンホールが設けられ、上記ボタンの上方で袖ぐりの上縁と凡そ並ぶ位置に、紐、ロープ又は鎖等のつなぎ具を取り付けるためのＤ環が高さ寸法１ｃｍ〜２ｃｍの首布を介して取付けられ、上記ボタンホールの上方で袖ぐりの上縁と凡そ並ぶ位置に、前記Ｄ環に係合されるＤ環用ボタンホールが設けられていることを特徴とする。
また、前身頃部分の前中心の襟ぐりと裾部分にダーツを設けて、立体的にする。この際、襟ぐり部のダーツは複数個、裾部分のダーツは１個となしたりする。さらに、Ｄ環取り付け対応裏側身頃地部分に補強布を設けたりする。
【考案の効果】
【０００５】
本考案は以上の通り構成するものであって、Ｄ環の根元に首布を付けたことは、Ｄ環をボタンホールから出す際に、首布も上方へ抜き出し、この首布がボタンホールに嵌り外れ難く、Ｄ環に紐等のつなぎ具の取り付けが簡単にすることができるものとなった。また、首の下に当たるところの襟ぐりと裾にダーツを設けてたことにより、首の下から胸あたりが立体的になり、隙間がなく犬の身体にあったものとなる。特に襟ぐりに複数個のダーツを設けた場合には、犬の身体の曲線にぴったりとあうものとなる。さらに、Ｄ環取り付け対応裏側身頃地部分に補強布を設けたことにより、Ｄ環を取り付けた身頃地部分が破れることが無いものとなる。
【考案を実施するための最良の形態】
【０００６】
以下、図面に示す実施の形態について説明する。
図１は本考案に係る犬用衣服の使用状況を示す斜視図である。図２は犬用衣服の展開状態での正面図で、図３は犬用衣服の展開状態での背面図であって、図２は着用時において外側となる面を、図３は着用時において内側となる面をそれぞれ示している。図４はＤ環部分の説明図である。
【０００７】
本考案に係る犬用衣服１は、前身頃部分２、左後身頃部分３、右後身頃部分４からなり、これらが１枚の生地で形成されている。なお、図示例では、左右後身頃部分の首側に襟５が続けて形成されており、裏地を設けて表地と重ねて縫い合わせてある。
【０００８】
前身頃部分２側には、犬の前足を挿入させる袖ぐり６が左右対称に設けられている。その際、袖ぐり６の上部から首側にかけて切れ目を設け、縫い合わせてあり、７はその縫い目である。
【０００９】
また、首の下に当たるところ、即ち前中心の襟ぐりと裾にダーツ８、９が設けてられている。このダーツ８、９により、首の下から胸あたりが立体的になり、犬の服の間に隙間がなく犬の身体にあったものとなる。特に襟ぐりに複数個のダーツを設けた場合には、犬の身体の曲線にぴったりとあうものとなる。
【００１０】
左後身頃部分３の端縁付近には、３個のボタン１０が取り付けられ、右後身頃部分４の端縁付近には、左後身頃部分３のボタン１０に係合される３個のボタンホール１１が設けられている。
【００１１】
また、図２において、左後身頃部分３の前記ボタン１０より上方で、袖ぐりの上縁に凡そ並ぶ位置に、即ち犬用衣服を犬に着せた際に前足の上方あたりに、Ｄ環１２を取り付ける。その際、Ｄ環１２の根元に首布１３をつけ、図４に示す如く首布１３の高さｈが１ｃｍ〜２ｃｍ程度になるようにする。その際、Ｄ環１２の取付け対応裏側部分の身頃地に補強布１６を設けておき、表地、裏地及び補強布を重ねて首布１３を縫いつけるのである。そして、右後身頃部分４の前記ボタンホール１１より上方で、袖ぐりの上縁に凡そ並ぶ位置に、前記Ｄ環１２が係合されるＤ環用ボタンホール１４が設けられている。
【００１２】
こうして、犬に本考案に係る犬用衣服を着せる際には、犬の背中の位置でボタン１０及びＤ環１２をボタンホール１１及びＤ環用ボタンホール１４に係合するのである。このとき、前足の上方あたりに、Ｄ環が設けられているので、散歩する場合には、Ｄ環に紐、ロープあるいは鎖等のつなぎ具を付けて使用するのである。
【００１３】
Ｄ環１２の根元に首布１３を付けたことは、Ｄ環１２をＤ環用ボタンホール１４から出し、さらに首布１３も上方へ抜き出し、この首布１３がＤ環用ボタンホール１４に嵌ることで、Ｄ環１２がＤ環用ボタンホール１４から外れ難く、Ｄ環１２に紐等のつなぎ具１５の取り付けが簡単にすることができるものとなった。また、首布１３は布地で作られているので、犬が転がっても痛くないものとなるのである。
【図面の簡単な説明】
【００１４】
【図１】本考案に係る犬用衣服の使用状況を示す斜視図である。
【図２】犬用衣服の展開状態での正面図である。
【図３】犬用衣服の展開状態での背面図である。
【図４】犬用衣服のＤ環部分の説明図である。
【符号の説明】
【００１５】
１    犬用衣服
２    前身頃部分
３    左後身頃部分
４    右後身頃部分
５    衿
６    袖ぐり
７    縫い目
８、９  ダーツ
１０  ボタン
１１  ボタンホール
１２  Ｄ環
１３  首布
１４  Ｄ環用ボタンホール
１５  つなぎ具
１６  補強布
【図１】
0003115888.tif 000003
【図２】
0003115888.tif 000004
【図３】
0003115888.tif 000005
【図４】
0003115888.tif 000006